(57)【要約】【課題】使用中の記録媒体の残量と使用中でない記録媒体の残量とを合わせて表示することができ、また、使用中の記録媒体の使用済み量と使用中でない記録媒体の使用済み量とを合わせて表示することができる電子機器、およびこれに用いる記録媒体情報表示方法を提供する。【解決手段】電子機器１に挿入された使用中の記録媒体２１から当該記録媒体２１のＩＤを読み取るＩＤ読み取り部と、使用中の記録媒体２１から当該記録媒体２１の残量を読み取る残量読み取り部と、電子機器１に選択的に挿入した複数の記録媒体の残量を、それぞれのＩＤと対応付けて記憶する容量残量記憶部４と、画面表示部９と、使用中の記録媒体２１の残量を示す第１の残量情報と、容量残量記憶部４に残量を記憶させた使用中の記録媒体２１以外の非使用中の記録媒体の残量を示す第２の残量情報とを画面表示部９に表示するよう制御する表示制御部とを備える。【選択図】図１
2010282265.tif 000002
【特許請求の範囲】
【請求項１】
記録媒体にデータを記録可能な電子機器において、
前記電子機器に挿入された使用中の記録媒体から当該記録媒体のＩＤを読み取るＩＤ読み取り部と、
前記使用中の記録媒体から当該記録媒体の残量を読み取る残量読み取り部と、
前記電子機器に選択的に挿入した複数の記録媒体の残量を、それぞれのＩＤと対応付けて記憶する記憶部と、
画面表示部と、
前記使用中の記録媒体の残量を示す第１の残量情報と、前記記憶部に残量を記憶させた前記使用中の記録媒体以外の非使用中の記録媒体の残量を示す第２の残量情報とを前記画面表示部に表示するよう制御する表示制御部と
を備えることを特徴とする電子機器。
【請求項２】
前記記憶部に残量が記憶されていない新たな記録媒体が前記電子機器に挿入された場合に、前記新たな記録媒体の残量を前記記憶部に記憶させるか否かをユーザに選択させるためのメッセージを前記画面表示部に表示させるメッセージ送出部と、
前記新たな記録媒体の残量を記憶する指示信号が入力された場合に、前記残量読み取り部により読み取られた前記新たな記録媒体の残量を、前記新たな記録媒体のＩＤと対応付けて前記記憶部に記憶させる記憶制御部と
をさらに備えることを特徴とする請求項１に記載の電子機器。
【請求項３】
前記記憶部に残量が記憶された記録媒体から選択される１つの記録媒体の残量を消去する指示信号が入力された場合に、前記記憶部から、前記指示信号により指示された記録媒体のＩＤと残量とを消去する消去制御部をさらに備えることを特徴とする請求項１または２に記載の電子機器。
【請求項４】
前記表示制御部は、前記第１および第２の残量情報に対応してそれぞれの記録媒体のＩＤを前記画面表示部に表示するよう制御することを特徴とする請求項１乃至３のいずれか１項に記載の電子機器。
【請求項５】
前記表示制御部は、前記第１の残量情報として前記使用中の記録媒体の残量を示す数字および文字を含む第１の数字文字列と、前記第２の残量情報として前記非使用中の記録媒体の残量を示す数字および文字を含む第２の数字文字列とを個別に前記画面表示部に表示するよう制御することを特徴とする請求項１乃至４のいずれか１項に記載の電子機器。
【請求項６】
前記電子機器において記録単位あたりに消費される記録媒体の記憶容量である単位消費容量を記憶する単位消費容量記憶部と、
前記単位消費容量に基づいて、前記複数の記録媒体それぞれの残量により前記記録単位に応じた表示単位において記録可能な量を求める表示単位変換部とをさらに備え、
前記表示制御部は、前記第１の残量情報として前記使用中の記録媒体の残量による前記表示単位における記録可能量を示す数字および文字を含む第１の数字文字列と、前記第２の残量情報として前記非使用中の記録媒体の残量による前記表示単位における記録可能量を示す数字および文字を含む第２の数字文字列とを個別に前記画面表示部に表示するよう制御することを特徴とする請求項１乃至５のいずれか１項に記載の電子機器。
【請求項７】
前記表示単位は、前記記録媒体に時間軸を有するデータを記録可能な時間の単位であり、
前記表示制御部は、前記第１の残量情報として前記使用中の記録媒体の残量による前記時間軸を有するデータの記録可能時間を示す前記第１の数字文字列と、前記第２の残量情報として前記非使用中の記録媒体の残量による前記時間軸を有するデータの記録可能時間を示す前記第２の数字文字列とを個別に前記画面表示部に表示するよう制御することを特徴とする請求項６に記載の電子機器。
【請求項８】
前記表示単位は、前記記録媒体に記録可能な所定のデータの数に関する単位であり、
前記表示制御部は、前記第１の残量情報として前記使用中の記録媒体の残量による前記所定のデータの記録可能数を示す前記第１の数字文字列と、前記第２の残量情報として前記非使用中の記録媒体の残量による前記所定のデータの記録可能数を示す前記第２の数字文字列とを個別に前記画面表示部に表示するよう制御することを特徴とする請求項６に記載の電子機器。
【請求項９】
前記使用中の記録媒体から当該記録媒体の容量を読み取る容量読み取り部をさらに備え、
前記記憶部は、前記電子機器に選択的に挿入した前記複数の記録媒体の容量を、それぞれのＩＤと対応付けて記憶し、
前記表示制御部は、前記使用中の記録媒体の容量を示す第１の容量情報を前記第１の残量情報に対応して前記画面表示部に表示し、前記非使用中の記録媒体の容量を示す第２の容量情報を前記第２の残量情報に対応して前記画面表示部に表示するよう制御することを特徴とする請求項１乃至８のいずれか１項に記載の電子機器。
【請求項１０】
前記表示制御部は、前記第１および第２の容量情報を、前記第１および第２の残量情報と同じ表示単位における量の情報を示す数字および文字を含む数字文字列で前記画面表示部に表示するよう制御することを特徴とする請求項９に記載の電子機器。
【請求項１１】
前記使用中の記録媒体の残量と前記非使用中の記録媒体の残量との合計である合計残量を算出するとともに、前記使用中の記録媒体の容量と前記非使用中の記録媒体の容量との合計である合計容量を算出する合算部をさらに備え、
前記表示制御部は、前記合計残量を示す合計残量情報と、前記合計容量を示す合計容量情報とを対応して前記画面表示部に表示するよう制御することを特徴とする請求項９または１０に記載の電子機器。
【請求項１２】
前記表示制御部は、前記合計残量情報および前記合計容量情報を、前記第１および第２の残量情報と同じ表示単位における量の情報を示す数字および文字を含む数字文字列で前記画面表示部に表示するよう制御することを特徴とする請求項１１に記載の電子機器。
【請求項１３】
前記表示制御部は、前記使用中の記録媒体の容量に対する残量の比率を前記第１の残量情報に対応して前記画面表示部に表示し、前記非使用中の記録媒体の容量に対する残量の比率を前記第２の残量情報に対応して前記画面表示部に表示するよう制御することを特徴とする請求項９乃至１２のいずれか１項に記載の電子機器。
【請求項１４】
前記表示制御部は、前記合計容量に対する前記合計残量の比率を前記合計残量情報および前記合計容量情報に対応して前記画面表示部に表示するよう制御することを特徴とする請求項１１乃至１３のいずれか１項に記載の電子機器。
【請求項１５】
前記電子機器に挿入された使用中の記録媒体の種類を判別する記録媒体判別部をさらに備え、
前記記憶部は、前記電子機器に選択的に挿入した複数の記録媒体の種類を示す種類情報を、それぞれのＩＤと対応付けて記憶し、
前記表示制御部は、前記第１および第２の残量情報を記録媒体の種類別に前記画面表示部に表示するよう制御することを特徴とする請求項１乃至１４のいずれか１項に記載の電子機器。
【請求項１６】
前記表示制御部は、前記第１および第２の残量情報に対応してそれぞれの記録媒体の種類を前記画面表示部に表示するよう制御することを特徴とする請求項１５に記載の電子機器。
【請求項１７】
前記使用中の記録媒体および前記非使用中の記録媒体の種類別の残量の合計である種類別合計残量を算出するとともに、前記使用中の記録媒体および前記非使用中の記録媒体の種類別の容量の合計である種類別合計容量を算出する種類別合算部をさらに備え、
前記表示制御部は、前記種類別合計残量を示す種類別合計残量情報と、前記種類別合計容量を示す種類別合計容量情報とを対応して前記画面表示部に表示するよう制御することを特徴とする請求項１５または１６に記載の電子機器。
【請求項１８】
前記表示制御部は、前記種類別合計残量情報および前記種類別合計容量情報を、前記第１および第２の残量情報と同じ表示単位における量の情報を示す数字および文字を含む数字文字列で前記画面表示部に表示するよう制御することを特徴とする請求項１７に記載の電子機器。
【請求項１９】
前記表示制御部は、前記種類別合計残量に対する前記種類別合計容量の比率を前記種類別合計残量情報および前記種類別合計容量情報に対応して前記画面表示部に表示するよう制御することを特徴とする請求項１８に記載の電子機器。
【請求項２０】
記録媒体にデータを記録可能な電子機器において、
前記電子機器に挿入された使用中の記録媒体から当該記録媒体のＩＤを読み取るＩＤ読み取り部と、
前記使用中の記録媒体から当該記録媒体の容量および残量を読み取る容量残量読み取り部と、
前記電子機器に選択的に挿入した複数の記録媒体の容量と、この容量から残量を差し引いた使用済み量とを、それぞれのＩＤと対応付けて記憶する記憶部と、
画面表示部と、
前記使用中の記録媒体の容量および使用済み量を示す第１の使用量情報と、前記記憶部に容量および使用済み量を記憶させた前記使用中の記録媒体以外の非使用中の記録媒体の容量および使用済み量を示す第２の使用量情報とを前記画面表示部に表示するよう制御する表示制御部と
を備えることを特徴とする電子機器。
【請求項２１】
記録媒体にデータを記録可能な電子機器に挿入された使用中の記録媒体から当該記録媒体のＩＤを読み取り、
前記使用中の記録媒体から当該記録媒体の残量を読み取り、
前記電子機器に選択的に挿入した複数の記録媒体の残量を、それぞれのＩＤと対応付けて記憶部に記憶し、
前記使用中の記録媒体の残量を示す第１の残量情報と、前記記憶部に残量を記憶させた前記使用中の記録媒体以外の非使用中の記録媒体の残量を示す第２の残量情報とを画面表示部に表示する
ことを特徴とする記録媒体情報表示方法。
【請求項２２】
記録媒体にデータを記録可能な電子機器に挿入された使用中の記録媒体から当該記録媒体のＩＤを読み取り、
前記使用中の記録媒体から当該記録媒体の容量および残量を読み取り、
前記電子機器に選択的に挿入した複数の記録媒体の容量と、この容量から残量を差し引いた使用済み量とを、それぞれのＩＤと対応付けて記憶部に記憶し、
前記使用中の記録媒体の容量および使用済み量を示す第１の使用量情報と、前記記憶部に容量および使用済み量を記憶させた前記使用中の記録媒体以外の非使用中の記録媒体の容量および使用済み量を示す第２の使用量情報とを画面表示部に表示する
ことを特徴とする記録媒体情報表示方法。
【発明の詳細な説明】
【技術分野】
【０００１】
本発明は、記録媒体にデータを記録可能な電子機器およびこれに用いる記録媒体情報表示方法に関する。
【背景技術】
【０００２】
従来、メモリカード等の記録媒体にデータを記録可能な電子機器が知られている（例えば、特許文献１参照）。このような電子機器において、ユーザは、所有している複数の記録媒体を選択的に電子機器に挿入して使用することがある。
【先行技術文献】
【特許文献】
【０００３】
【特許文献１】特開２００４−２５８７４６号公報
【発明の概要】
【発明が解決しようとする課題】
【０００４】
上記のような電子機器では、選択的に使用した記録媒体のうち、使用中の記録媒体の残量や使用済み量を表示することはできるが、使用中でない記録媒体の残量や使用済み量を表示することはできなかった。そこで、使用中でない記録媒体の残量や使用済み量もユーザが把握することを可能とする技術が要望されていた。
【０００５】
本発明は上記に鑑みてなされたもので、使用中の記録媒体の残量と使用中でない記録媒体の残量とを合わせて表示することができ、また、使用中の記録媒体の使用済み量と使用中でない記録媒体の使用済み量とを合わせて表示することができる電子機器、およびこれに用いる記録媒体情報表示方法を提供することを目的とする。
【課題を解決するための手段】
【０００６】
本発明の一態様によれば、記録媒体にデータを記録可能な電子機器において、前記電子機器に挿入された使用中の記録媒体から当該記録媒体のＩＤを読み取るＩＤ読み取り部と、前記使用中の記録媒体から当該記録媒体の残量を読み取る残量読み取り部と、前記電子機器に選択的に挿入した複数の記録媒体の残量を、それぞれのＩＤと対応付けて記憶する記憶部と、画面表示部と、前記使用中の記録媒体の残量を示す第１の残量情報と、前記記憶部に残量を記憶させた前記使用中の記録媒体以外の非使用中の記録媒体の残量を示す第２の残量情報とを前記画面表示部に表示するよう制御する表示制御部とを備えることを特徴とする電子機器が提供される。     
本発明の他の態様によれば、記録媒体にデータを記録可能な電子機器において、前記電子機器に挿入された使用中の記録媒体から当該記録媒体のＩＤを読み取るＩＤ読み取り部と、前記使用中の記録媒体から当該記録媒体の容量および残量を読み取る容量残量読み取り部と、前記電子機器に選択的に挿入した複数の記録媒体の容量と、この容量から残量を差し引いた使用済み量とを、それぞれのＩＤと対応付けて記憶する記憶部と、画面表示部と、前記使用中の記録媒体の容量および使用済み量を示す第１の使用量情報と、前記記憶部に容量および使用済み量を記憶させた前記使用中の記録媒体以外の非使用中の記録媒体の容量および使用済み量を示す第２の使用量情報とを前記画面表示部に表示するよう制御する表示制御部とを備えることを特徴とする電子機器が提供される。
【０００７】
本発明の他の態様によれば、記録媒体にデータを記録可能な電子機器に挿入された使用中の記録媒体から当該記録媒体のＩＤを読み取り、前記使用中の記録媒体から当該記録媒体の残量を読み取り、前記電子機器に選択的に挿入した複数の記録媒体の残量を、それぞれのＩＤと対応付けて記憶部に記憶し、前記使用中の記録媒体の残量を示す第１の残量情報と、前記記憶部に残量を記憶させた前記使用中の記録媒体以外の非使用中の記録媒体の残量を示す第２の残量情報とを画面表示部に表示することを特徴とする記録媒体情報表示方法が提供される。
【０００８】
本発明の他の態様によれば、記録媒体にデータを記録可能な電子機器に挿入された使用中の記録媒体から当該記録媒体のＩＤを読み取り、前記使用中の記録媒体から当該記録媒体の容量および残量を読み取り、前記電子機器に選択的に挿入した複数の記録媒体の容量と、この容量から残量を差し引いた使用済み量とを、それぞれのＩＤと対応付けて記憶部に記憶し、前記使用中の記録媒体の容量および使用済み量を示す第１の使用量情報と、前記記憶部に容量および使用済み量を記憶させた前記使用中の記録媒体以外の非使用中の記録媒体の容量および使用済み量を示す第２の使用量情報とを画面表示部に表示することを特徴とする記録媒体情報表示方法が提供される。
【発明の効果】
【０００９】
本発明によれば、使用中の記録媒体の残量と使用中でない記録媒体の残量とを合わせて表示することがでる。また、使用中の記録媒体の使用済み量と使用中でない記録媒体の使用済み量とを合わせて表示することができる。
【図面の簡単な説明】
【００１０】
【図１】本発明の実施の形態に係る電子機器の構成を示すブロック図である。
【図２】図１に示す電子機器の動作を示すフローチャートである。
【図３】図１に示す電子機器の動作を示すフローチャートである。
【図４】図１に示す電子機器における容量残量表示処理の手順を示すフローチャートである。
【図５】記録媒体情報表示画面の一例を示す図である。
【図６】記録媒体情報表示画面の他の例を示す図である。
【図７】記録媒体情報表示画面のさらに他の例を示す図である。
【図８】記録媒体情報表示画面のさらに他の例を示す図である。
【図９】使用中の記録媒体の容量および残量を記憶するか否かをユーザに選択させるためのメッセージを表示した記録媒体情報表示画面の一例を示す図である。
【図１０】容量残量記憶部に記憶されている記録媒体の容量および残量を消去するためのメッセージを表示した記録媒体情報表示画面の一例を示す図である。
【図１１】記録媒体におけるＩＤの表示例を示す図である。
【発明を実施するための形態】
【００１１】
以下、本発明の実施の形態について、図面を参照して説明する。
【００１２】
図１は、本発明の実施の形態に係る電子機器の構成を示すブロック図である。図１に示すように、本実施の形態に係る電子機器１は、記録媒体挿入部２と、通信部３と、容量残量記憶部４と、容量残量合算部５と、単位消費容量記憶部６と、表示単位変換部７と、記録媒体判別部８と、画面表示部９と、メッセージ送出部１０と、操作入力部１１と、制御部１２と、ＲＯＭ（Read Only Memory）１３と、ＲＡＭ（Random Access Memory）１４とを備える。
【００１３】
記録媒体挿入部２は、差込口（図示せず）を有し、この差込口から記録媒体２１を挿入可能に構成されている。記録媒体挿入部２は、異なる複数種類の記録媒体を挿入可能に構成されている。記録媒体挿入部２には１つの記録媒体のみが挿入でき、複数の記録媒体が選択的に挿入される。
【００１４】
記録媒体２１は、電子機器１における記録対象のデータを記憶するデータ記憶部２２と、記録媒体固有のＩＤを保持するＩＤ記憶部２３と、記録媒体２１の容量および残量を記憶する容量残量記憶部２４と、電子機器１と各種データの送受信を行う通信部２５と、記録媒体２１の各部を制御する制御部２６とを備える。
【００１５】
通信部３は、記録媒体２１の通信部２５を介して、データ記憶部２２に記憶させるデータの送信、データ記憶部２２に記憶されたデータの読み出し、ＩＤ記憶部２３に記憶されたＩＤの読み出し、容量残量記憶部２４に記憶された容量および残量の読み出しを行う。
【００１６】
容量残量記憶部４は、記録媒体２１のＩＤ記憶部２３から読み取ったＩＤと、記録媒体２１の容量残量記憶部２４から読み取った容量と残量と、後述する記録媒体判別部８から読み取った記録媒体２１の種類情報とを対応付けて記憶する。
【００１７】
容量残量合算部５は、記録媒体挿入部２に挿入されて使用中の記録媒体２１の容量と、容量残量記憶部４に容量および残量が記憶された記録媒体である記憶済み記録媒体のうち使用中の記録媒体２１以外の記憶済み記録媒体の容量との合計である合計容量を算出するとともに、使用中の記録媒体２１の残量と、使用中の記録媒体２１以外の記憶済み記録媒体の残量との合計である合計残量を算出する。
【００１８】
また、容量残量合算部５は、使用中の記録媒体２１の容量と、使用中の記録媒体２１以外の記憶済み記録媒体の容量とを、記録媒体の種類別に合計した種類別合計容量を算出するとともに、使用中の記録媒体２１の残量と、使用中の記録媒体２１以外の記憶済み記録媒体の残量とを、記録媒体の種類別に合計した種類別合計残量を算出する。
【００１９】
単位消費容量記憶部６は、電子機器１における記録動作で記録単位あたりに消費される記録媒体の記憶容量である単位消費容量を記憶する。例えば、動画データにおける記録ビットレートや、静止画データにおける１枚あたりに消費される記憶容量などを単位消費容量として記憶している。
【００２０】
表示単位変換部７は、単位消費容量記憶部６に記憶されている単位消費容量に基づいて、容量や残量の情報を、画面表示部９に表示する際に用いる各種の表示単位における量の情報に変換する。例えば、動画データ等の時間軸を有するデータの場合、表示単位変換部７は、単位消費容量記憶部６に記憶されている記録ビットレートを用いて、容量や残量の情報を、それにより記録可能な時間を示す情報に変換する。また、例えば、静止画データの場合では、表示単位変換部７は、単位消費容量記憶部６に記憶されている静止画データにおける１枚あたりに消費される記憶容量を用いて、容量や残量の情報を、それにより記録可能な静止画の枚数や、記録可能な回数やファイル数等の、静止画データの数を示す情報に変換する。
【００２１】
記録媒体判別部８は、通信部３より得られる通信情報から、記録媒体挿入部２における記録媒体２１の有無の判断を行うとともに、記録媒体挿入部２に挿入されている記録媒体２１の種類の判別を行う。通信情報には、記録媒体２１を物理的に検出した結果に基づく記録媒体の種類を示す情報が含まれている。なお、記録媒体２１が記録媒体の種類情報を保持している場合は、記録媒体判別部８は、記録媒体２１から取得した種類情報により、記録媒体２１の種類の判別を行うようにしてもよい。
【００２２】
画面表示部９は、使用中の記録媒体２１やそれ以外の記憶済み記録媒体の残量、容量等の情報、および各種のメッセージ等を表示する。
【００２３】
メッセージ送出部１０は、ユーザに対する各種のメッセージを画面表示部９に送出し、これを表示させる。
【００２４】
操作入力部１１は、ユーザが電子機器１を操作するための入力を行う部分であり、ユーザ操作に基づく操作信号を制御部１２に出力する。
【００２５】
制御部１２は、プログラムに応じた処理を行うことによって、電子機器１全体の動作を制御する。制御部１２による制御内容としては、通信部３の制御、残量等の容量残量記憶部４への記憶、容量残量合算部５の制御、単位消費容量記憶部６からの単位消費容量の読み出し、表示単位変換部７の制御、記録媒体判別部８からの種類情報の読み取り、画面表示部９の表示制御、メッセージ送出部１０の制御、操作入力部１１からの入力に応じた動作の実行、各種の演算処理等が挙げられる。
【００２６】
また、制御部１２は、通信部３を制御することにより、記録媒体２１の通信部２５を介してＩＤ記憶部２３から記録媒体２１のＩＤを読み取るＩＤ読み取り部として機能する。
【００２７】
また、制御部１２は、通信部３を制御することにより、記録媒体２１の通信部２５を介して容量残量記憶部２４から記録媒体２１の容量および残量を読み取る容量残量読み取り部として機能する。
【００２８】
また、制御部１２は、使用中の記録媒体２１やそれ以外の記憶済み記録媒体の残量、容量等の情報を画面表示部９に表示するよう制御する表示制御部として機能する。
【００２９】
また、制御部１２は、容量残量記憶部４に容量および残量が記憶されていない新たな記録媒体が電子機器１に挿入され、この新たな記録媒体の容量および残量を容量残量記憶部４に記憶する指示信号が入力された場合に、新たな記録媒体の容量および残量を、当該記録媒体のＩＤと対応付けて容量残量記憶部４に記憶させる記憶制御部として機能する。
【００３０】
また、制御部１２は、容量残量記憶部４から、ユーザ操作により指示された記録媒体のＩＤ、当該ＩＤに対応づけられた容量、残量および種類情報を消去する消去制御部として機能する。
【００３１】
ＲＯＭ１３は、制御部１２の動作のためのプログラム等を格納する。ＲＡＭ１４は、一時的なデータの保存や演算時における制御部１２のワーク領域として使用される。
【００３２】
次に、電子機器１の動作について説明する。
【００３３】
図２、図３は、電子機器１の動作を示すフローチャートである。電子機器１の記録媒体挿入部２に記録媒体２１が挿入されると、まず、図２のステップＳ１０において、制御部１２は、通信部３を制御することにより、記録媒体２１の通信部２５を介してＩＤ記憶部２３から記録媒体２１のＩＤを読み取る。なお、記録媒体のＩＤとしては、例えば記録媒体固有のシリアルナンバーの一部を所定の計算式により個々の記録媒体を識別するような数字列に変換したものを用いてもよい。
【００３４】
次いで、ステップＳ２０において、記録媒体判別部８は、通信部３より得られる通信情報から、記録媒体挿入部２に挿入された使用中の記録媒体２１の種類の判別を行い、その結果を示す種類情報を制御部１２に出力する。
【００３５】
次いで、ステップＳ３０において、制御部１２は、通信部３を制御することにより、記録媒体２１の通信部２５を介して容量残量記憶部２４から記録媒体２１の容量と残量とを読み取る。ステップＳ４０において、制御部１２は、記録媒体２１の容量と残量との比率を算出する。
【００３６】
次いで、ステップＳ５０において、制御部１２は、容量残量記憶部４に容量と残量とが、ＩＤおよび種類情報と対応付けて記憶されているすべての記憶済み記録媒体のＩＤを読み出す。
【００３７】
次いで、ステップＳ６０において、制御部１２は、ステップＳ１０で取得した記録媒体２１のＩＤと、ステップＳ５０で読み出したすべてのＩＤとを比較して、挿入された記録媒体２１の容量および残量が容量残量記憶部４に記憶されているか否かを判断する。記憶されている場合（ステップＳ６０：ＹＥＳ）、ステップＳ７０に進み、記憶されていない場合（ステップＳ６０：ＮＯ）、ステップＳ１４０に進む。
【００３８】
ステップＳ７０では、制御部１２は、挿入された記録媒体２１を除くすべての記憶済み記録媒体の種類情報と容量と残量とを容量残量記憶部４から読み出す。次いで、ステップＳ８０において、制御部１２は、挿入された記録媒体２１を除くすべての記憶済み記録媒体の種類別の容量の合計を容量残量合算部５に算出させる。
【００３９】
次いで、ステップＳ９０において、制御部１２は、挿入された記録媒体２１を除くすべての記憶済み記録媒体の容量の合計を容量残量合算部５に算出させる。
【００４０】
次いで、ステップＳ１００において、制御部１２は、ステップＳ８０で算出した結果と、ステップＳ２０で判別した記録媒体２１の種類情報と、ステップＳ３０で読み出した記録媒体２１の容量とに基づいて、挿入された記録媒体２１とその他の記憶済み記録媒体の種類別の容量の合計である種類別合計容量を容量残量合算部５に算出させる。
【００４１】
次いで、ステップＳ１１０において、制御部１２は、ステップＳ９０で算出した結果と、ステップＳ３０で読み出した記録媒体２１の容量とを加算した合計容量を容量残量合算部５に算出させる。
【００４２】
次いで、ステップＳ１２０において、制御部１２は、挿入された記録媒体２１を除くすべての記憶済み記録媒体の種類別の残量の合計を容量残量合算部５に算出させる。次いで、ステップＳ１３０において、制御部１２は、挿入された記録媒体２１を除くすべての記憶済み記録媒体の残量の合計を容量残量合算部５に算出させる。その後、図３のステップＳ３１０に進む。
【００４３】
図２において、挿入された記録媒体２１の容量および残量が容量残量記憶部４に記憶されていない場合（ステップＳ６０：ＮＯ）、ステップＳ１４０において、制御部１２は、すべての記憶済み記録媒体の種類情報と容量と残量とを容量残量記憶部４から読み出す。
【００４４】
次いで、ステップＳ１５０において、制御部１２は、すべての記憶済み記録媒体の種類別の容量の合計を容量残量合算部５に算出させ、ステップＳ１６０において、制御部１２は、すべての記憶済み記録媒体の容量の合計を容量残量合算部５に算出させる。
【００４５】
次いで、ステップＳ１７０において、制御部１２は、ステップＳ１５０で算出した結果と、ステップＳ２０で判別した記録媒体２１の種類情報と、ステップＳ３０で読み出した記録媒体２１の容量とに基づいて、挿入された記録媒体２１とすべての記憶済み記録媒体との種類別の容量の合計である種類別合計容量を容量残量合算部５に算出させる。
【００４６】
次いで、ステップＳ１８０において、制御部１２は、ステップＳ１６０で算出した結果と、ステップＳ３０で読み出した記録媒体２１の容量とを加算した合計容量を容量残量合算部５に算出させる。
【００４７】
次いで、ステップＳ１９０において、制御部１２は、すべての記憶済み記録媒体の種類別の残量の合計を容量残量合算部５に算出させ、ステップＳ２００において、制御部１２は、すべての記憶済み記録媒体の残量の合計を容量残量合算部５に算出させる。
【００４８】
次いで、ステップＳ２１０において、制御部１２は、ステップＳ１９０で算出した結果と、ステップＳ２０で判別した記録媒体２１の種類情報と、ステップＳ３０で読み出した記録媒体２１の残量とに基づいて、挿入された記録媒体２１とすべての記憶済み記録媒体との種類別の残量の合計である種類別合計残量を容量残量合算部５に算出させる。
【００４９】
次いで、ステップＳ２２０において、制御部１２は、ステップＳ２００で算出した結果と、ステップＳ３０で読み出した記録媒体２１の残量とを加算した合計残量を容量残量合算部５に算出させる。
【００５０】
次いで、図３のステップＳ２３０において、制御部１２は、ステップＳ１７０で算出した種類別合計容量と、ステップＳ２１０で算出した種類別合計残量との比率を算出する。次いで、ステップＳ２４０において、制御部１２は、ステップＳ１８０で算出した合計容量と、ステップＳ２２０で算出した合計残量との比率を算出する。
【００５１】
次いで、ステップＳ２５０において、制御部１２は、上記の記録媒体２１の容量および残量、記憶済み記録媒体の容量および残量、種類別合計容量、種類別合計残量、合計容量、合計残量等を、必要に応じて、単位消費容量記憶部６に記憶されている単位消費容量に基づいて、画面表示部９に表示する際に用いる表示単位における量の情報に変換するよう表示単位変換部７を制御する。
【００５２】
例えば、表示単位変換部７は、上記の容量や残量に関する各種情報を、動画データを記録可能な時間を示す情報に変換する。画面表示部９に表示する際の表示単位は、ユーザが操作入力部１１を操作することにより選択可能となっている。制御部１２は、ユーザ操作により選択された表示単位の情報に変換するよう表示単位変換部７を制御する。
【００５３】
次いで、ステップＳ２６０において、制御部１２は、表示単位変換後の、上記の容量や残量に関する各種情報等を画面表示部９に表示させる。ここでの表示形態は、後述の残量表示処理で説明する表示形態と同様である。
【００５４】
次いで、ステップＳ２７０において、制御部１２は、現在記録媒体挿入部２に挿入されている使用中の記録媒体２１の容量および残量を容量残量記憶部４に記憶するか否かをユーザに選択させるためのメッセージをメッセージ送出部１０から送出させ、画面表示部９に表示させる。メッセージの表示例については後述する。
【００５５】
ここで、メッセージを表示する理由について説明する。ユーザは、記録媒体が電子機器１の記録媒体挿入部２に挿入されるまでは、その記録媒体の残量の状況を知ることはできない。挿入した記録媒体の残量がほとんどないこともあり得る。残量が少ない記録媒体を記憶しても僅かしか使用できないので、残量が少ない記録媒体の残量および容量は記憶しない方が好ましい場合がある。そこで、「記憶しない」という選択肢が必要となる。なお、上述のステップＳ２６０で行う表示は、ユーザが記録媒体の残量および容量を記憶するか否かの判断にあたり、現在の残量の状況をユーザに認知させることを目的としている。
【００５６】
ステップＳ２８０では、制御部１２は、ステップＳ２７０のメッセージに対する操作入力が操作入力部１１に対して行われたか否かを判断する。操作入力が行われた場合（ステップＳ２８０：ＹＥＳ）、ステップＳ２９０に進み、操作入力が行われなかった場合（ステップＳ２８０：ＮＯ）、ステップＳ２８０に戻り、操作入力が行われるまで待機する。
【００５７】
ステップＳ２９０では、制御部１２は、操作入力部１１からの操作信号に基づき、「記憶する」が選択されたか否かを判断する。「記憶する」が選択された場合（ステップＳ２９０：ＹＥＳ）、ステップＳ３００に進み、「記憶しない」が選択された場合（ステップＳ２９０：ＮＯ）、ステップＳ３１０に進む。
【００５８】
ステップＳ３００では、制御部１２は、挿入された記録媒体２１の容量、残量、ＩＤ、および種類情報を対応付けて容量残量記憶部４に書き込む。そして、ステップＳ３１０において、制御部１２は、後述の容量残量表示処理を行う。
【００５９】
このステップＳ３１０における容量残量表示処理について説明する。図４は、容量残量表示処理の手順を示すフローチャートである。
【００６０】
まず、ステップＳ４１０において、制御部１２は、現在記録媒体挿入部２に挿入されている記録媒体２１に対して、データの記録処理または消去処理が行われたか否かを判断する。記録処理または消去処理が行われた場合（ステップＳ４１０：ＹＥＳ）、ステップＳ４２０に進み、記録処理も消去処理も行われなかった場合（ステップＳ４１０：ＮＯ）、ステップＳ４１０に戻り、記録処理または消去処理が行われるまで待機する。
【００６１】
記録処理または消去処理が行われると、記録媒体２１の残量は変化するため、ステップＳ４２０において、制御部１２は、記録または消去したデータ量と、記録媒体２１の容量残量記憶部２４に記憶されている残量とから、記録処理または消去処理後の記録媒体２１の残量を算出する。
【００６２】
次いで、ステップＳ４３０において、制御部１２は、ステップＳ４２０で算出した残量を示す情報を通信部３を介して記録媒体２１に送信する。そして、記録媒体２１の制御部２６は、通信部２５を介して電子機器１の制御部１２からの残量を示す情報を受信し、この情報に基づいて容量残量記憶部２４に記憶されている残量の更新（上書き）を行う。
【００６３】
次いで、ステップＳ４４０において、制御部１２は、図２のステップＳ３０で読み出した記録媒体２１の容量と、ステップＳ４２０で算出した記録媒体２１の残量との比率を算出する。
【００６４】
次いで、ステップＳ４５０において、制御部１２は、挿入された記録媒体２１の容量および残量が容量残量記憶部４に記憶されているか否かを判断する。記憶されている場合（ステップＳ４５０：ＹＥＳ）、ステップＳ４６０に進み、記憶されていない場合（ステップＳ４５０：ＮＯ）、ステップＳ４７０に進む。
【００６５】
次いで、ステップＳ４６０において、制御部１２は、容量残量記憶部４に記録されている残量を、ステップＳ４２０で算出した残量に更新（上書き）する処理を行う。
【００６６】
次いで、ステップＳ４７０において、制御部１２は、種類別合計残量を容量残量合算部５に算出させる。ここで、挿入された記録媒体２１の容量および残量が容量残量記憶部４に記憶されている場合（ステップＳ４５０：ＹＥＳ）には、制御部１２は、ステップＳ２０で判別した記録媒体２１の種類情報と、ステップＳ４２０で算出した記録媒体２１の残量と、ステップＳ１２０で算出した挿入された記録媒体２１を除くすべての記憶済み記録媒体の種類別の残量の合計とに基づいて、挿入された記録媒体２１とその他の記憶済み記録媒体の種類別の残量の合計である種類別合計残量を容量残量合算部５に算出させる。
【００６７】
挿入された記録媒体２１の容量および残量が容量残量記憶部４に記憶されていない場合（ステップＳ４５０：ＮＯ）には、制御部１２は、ステップＳ２０で判別した記録媒体２１の種類情報と、ステップＳ４２０で算出した記録媒体２１の残量と、ステップＳ１９０で算出したすべての記憶済み記録媒体の種類別の残量の合計とに基づいて、挿入された記録媒体２１とすべての記憶済み記録媒体との種類別の残量の合計である種類別合計残量を容量残量合算部５に算出させる。
【００６８】
次いで、ステップＳ４８０において、制御部１２は、合計残量を容量残量合算部５に算出させる。ここで、挿入された記録媒体２１の容量および残量が容量残量記憶部４に記憶されている場合（ステップＳ４５０：ＹＥＳ）には、制御部１２は、ステップＳ４２０で算出した記録媒体２１の残量と、ステップＳ１３０で算出した記録媒体２１を除くすべての記憶済み記録媒体の残量の合計とに基づいて、挿入された記録媒体２１とその他の記憶済み記録媒体の残量の合計である合計残量を容量残量合算部５に算出させる。
【００６９】
挿入された記録媒体２１の容量および残量が容量残量記憶部４に記憶されていない場合（ステップＳ４５０：ＹＥＳ）には、制御部１２は、ステップＳ４２０で算出した記録媒体２１の残量と、ステップＳ２００で算出したすべての記憶済み記録媒体の残量の合計とに基づいて、挿入された記録媒体２１とすべての記憶済み記録媒体との残量の合計である合計残量を容量残量合算部５に算出させる。
【００７０】
次いで、ステップＳ４９０において、制御部１２は、種類別合計容量と種類別合計残量との比率を算出する。ここで、挿入された記録媒体２１の容量および残量が容量残量記憶部４に記憶されている場合（ステップＳ４５０：ＹＥＳ）には、制御部１２は、ステップＳ１００で算出した種類別合計容量と、ステップＳ４７０で算出した記録媒体２１とその他の記憶済み記録媒体の種類別合計残量との比率を種類ごとに算出する。
【００７１】
挿入された記録媒体２１の容量および残量が容量残量記憶部４に記憶されていない場合（ステップＳ４５０：ＹＥＳ）には、制御部１２は、ステップＳ１７０で算出した種類別合計容量と、ステップＳ４７０で算出した挿入された記録媒体２１およびすべての記憶済み記録媒体の種類別合計残量との比率を種類ごとに算出する。
【００７２】
次いで、ステップＳ５００において、制御部１２は、合計容量と合計残量との比率を算出する。ここで、挿入された記録媒体２１の容量および残量が容量残量記憶部４に記憶されている場合（ステップＳ４５０：ＹＥＳ）には、制御部１２は、ステップＳ１１０で算出した合計容量と、ステップＳ４８０で算出した記録媒体２１とその他の記憶済み記録媒体の合計残量との比率を算出する。
【００７３】
挿入された記録媒体２１の容量および残量が容量残量記憶部４に記憶されていない場合（ステップＳ４５０：ＹＥＳ）には、制御部１２は、ステップＳ１８０で算出した合計容量と、ステップＳ４８０で算出した記録媒体２１およびすべての記憶済み記録媒体の合計残量との比率を算出する。
【００７４】
次いで、ステップＳ５１０において、制御部１２は、前述のステップＳ２５０と同様に、ステップＳ４１０の記録処理または消去処理後の、挿入された記録媒体２１の容量および残量、記憶済み記録媒体の容量および残量、種類別合計容量、種類別合計残量、合計容量、合計残量等を、必要に応じて、単位消費容量記憶部６に記憶されている単位消費容量に基づいて、画面表示部９に表示する際に用いる表示単位における量の情報に変換するよう表示単位変換部７を制御する。
【００７５】
次いで、ステップＳ５２０において、制御部１２は、表示単位変換後の、上記の容量や残量に関する各種情報等を画面表示部９に表示させる。その後、ステップＳ４１０に戻り、以降の処理を繰り返す。
【００７６】
次に、画面表示部９における画面表示例について説明する。
【００７７】
図５は、本実施の形態において画面表示部９に表示される記録媒体情報表示画面の一例を示す図であり、メモリカードとＨＤＤ（Hard Disk Drive）との２種類の記録媒体の容量や残量に関する各種情報を表示する例を示す。
【００７８】
図５に示すように、記録媒体情報表示画面３０には、記録媒体の種類ごとに各記録媒体の容量、残量等を表示する容量残量情報表示部３１，３２と、各記録媒体の合計容量、合計残量、および合計残量の合計容量に対する比率を表示する合計容量残量情報表示部３３とが表示される。図５の記録媒体情報表示画面３０においては、容量、残量に関する情報を、それらのデータ量の単位（ＧＢ）を表示単位として表示している。
【００７９】
容量残量情報表示部３１，３２は、それぞれに対応する記録媒体の種類を表示する種類表示部３１１，３２１と、各記録媒体のＩＤを表示するＩＤ表示部３１２，３２２と、各記録媒体の残量および種類別合計残量を表示する残量情報表示部３１３，３２３と、各記録媒体の容量および種類別合計容量を表示する容量情報表示部３１４，３２４と、各記録媒体の容量に対する残量の比率、および種類別合計容量に対する種類別合計残量の比率を表示する比率表示部３１５，３２５とを含んでいる。
【００８０】
容量残量情報表示部３１，３２においては、個々の記録媒体ごとのＩＤ、残量、容量、および容量に対する残量の比率が対応するように、それぞれの数値が記録媒体ごとに縦に並んで表示される。また、種類別合計残量、種類別合計容量、および種類別合計容量に対する種類別合計残量の比率が、容量残量情報表示部３１，３２の図示右端の列に表示される。
【００８１】
記録媒体情報表示画面３０において、現在記録媒体挿入部２に挿入されている使用中の記録媒体についてのＩＤ、残量等の各種情報は、他の記憶済み記録媒体についての各種情報とは異なる表示形態で表示される。図５の例では、使用中の記録媒体であるＩＤＭ０２のメモリカードについての各種情報が、他の記録媒体の各種情報とは異なり、斜体で表示されている。
【００８２】
このような記録媒体情報表示画面３０により、記録媒体挿入部２に挿入された使用中の記録媒体、および非使用中の記憶済み記録媒体のＩＤ、残量、容量、残量の容量に対する比率について、ユーザは瞬時に把握することができる。
【００８３】
また、使用中の記録媒体と非使用中の記憶済み記録媒体とを合わせた合計残量、合計容量、合計容量に対する合計残量の比率、種類別合計残量、種類別合計容量、および種類別合計容量に対する種類別合計残量の比率も一目で把握することができる。
【００８４】
さらに、使用中の記録媒体についての各種情報を、他の記憶済み記録媒体についての各種情報とは異なる表示形態で表示することで、ユーザは、どの記録媒体が使用中であるかを瞬時に把握することができる。
【００８５】
図６は、本実施の形態における記録媒体情報表示画面の他の例を示す図である。なお、図６において、図５と重複する部分には同一の符号を付し、重複する説明を省略する。
【００８６】
図６に示す記録媒体情報表示画面３０Ａは、図５に示した記録媒体情報表示画面３０に対し、容量残量情報表示部３１，３２、合計容量残量情報表示部３３を、容量残量情報表示部３１Ａ，３２Ａ、合計容量残量情報表示部３３Ａにそれぞれ置き換えたものである。
【００８７】
容量残量情報表示部３１Ａ，３２Ａは、図５の容量残量情報表示部３１，３２に対し、残量情報表示部３１３，３２３、容量情報表示部３１４，３２４を、残量情報表示部３１３Ａ，３２３Ａ、容量情報表示部３１４Ａ，３２４Ａにそれぞれ置き換えたものであり、残量情報表示部３１３Ａ，３２３Ａ、容量情報表示部３１４Ａ，３２４Ａ、合計容量残量情報表示部３３Ａは、残量情報表示部３１３，３２３、容量情報表示部３１４，３２４、合計容量残量情報表示部３３に対し、容量、残量に関する情報の表示単位を、容量、残量により時間軸を有するデータを記録可能な時間の単位（時間（ｈ）、分（ｍ））に変更したものである。
【００８８】
図５に示した記録媒体情報表示画面３０のように、容量、残量に関する情報をデータ量の単位（ＧＢ）で表示しても、ユーザが直感的に理解できない場合がある。
【００８９】
例えば、撮影装置における動画撮影において、残量をＧＢ単位で表示されても、ユーザは現在の残量でどれくらいの時間だけ撮影できるのかを理解しにくい。このような場合、ユーザが必要とする記録媒体の容量や残量に関する情報は、撮影した動画の記録可能時間に関する情報である。
【００９０】
前述のように、ユーザは、操作入力部１１を操作することにより、画面表示部９に表示する際の表示単位を選択設定することができる。容量、残量に関する情報の表示単位を時間の単位で表示するように設定された場合、前述した図４のフローチャートで説明した容量残量表示処理のステップＳ５１０において、制御部１２は、単位時間あたりの消費容量を単位消費容量記憶部６から読み出し、各記録媒体の容量および残量、種類別合計容量、種類別合計残量、合計容量、合計残量等におけるデータ量を単位時間あたりの消費容量で除算することによって記録可能な時間を表示単位変換部７に算出させる。
【００９１】
このように容量、残量に関する情報を時間の単位に変換して記録媒体情報表示画面３０Ａで表示することにより、ユーザは、使用中の記録媒体および非使用中の記憶済み記録媒体の容量、残量に関する各種情報を、動画データ等の時間軸を有するデータの記録可能な時間の情報として瞬時に把握することができる。
【００９２】
図７は、本実施の形態における記録媒体情報表示画面のさらに他の例を示す図である。なお、図７において、図５と重複する部分には同一の符号を付し、重複する説明を省略する。
【００９３】
図７に示す記録媒体情報表示画面３０Ｂは、図５に示した記録媒体情報表示画面３０に対し、容量残量情報表示部３１，３２、合計容量残量情報表示部３３を、容量残量情報表示部３１Ｂ，３２Ｂ、合計容量残量情報表示部３３Ｂにそれぞれ置き換えたものである。
【００９４】
容量残量情報表示部３１Ｂ，３２Ｂは、図５の容量残量情報表示部３１，３２に対し、残量情報表示部３１３，３２３、容量情報表示部３１４，３２４を、残量情報表示部３１３Ｂ，３２３Ｂ、容量情報表示部３１４Ｂ，３２４Ｂにそれぞれ置き換えたものであり、残量情報表示部３１３Ｂ，３２３Ｂ、容量情報表示部３１４Ｂ，３２４Ｂ、合計容量残量情報表示部３３Ｂは、残量情報表示部３１３，３２３、容量情報表示部３１４，３２４、合計容量残量情報表示部３３に対し、容量、残量に関する情報の表示単位を、容量、残量により所定のデータを記録可能な数に関する単位に変更したものである。
【００９５】
図５に示した記録媒体情報表示画面３０のように、容量、残量に関する情報をデータ量の単位（ＧＢ）で表示しても、例えば、撮影装置における静止画撮影の場合、ユーザは現在の残量であと何枚の静止画を記録媒体に記録できるのかを理解しにくい。このような場合、ユーザが必要とする記録媒体の容量や残量に関する情報は、撮影した静止画データの記録可能な枚数に関する情報である。
【００９６】
画面表示部９に表示する際の容量、残量に関する情報の表示単位を静止画データを記録可能な枚数に関する単位で表示するように設定された場合、前述した図４のフローチャートで説明した容量残量表示処理のステップＳ５１０において、制御部１２は、静止画１枚あたりの消費容量を単位消費容量記憶部６から読み出し、各記録媒体の容量および残量、種類別合計容量、種類別合計残量、合計容量、合計残量等におけるデータ量を静止画１枚あたりの消費容量で除算することによって記録可能な静止画の枚数を表示単位変換部７に算出させる。
【００９７】
このように容量、残量に関する情報を枚数の単位に変換して記録媒体情報表示画面３０Ｂで表示することにより、ユーザは、使用中の記録媒体および非使用中の記憶済み記録媒体の容量、残量に関する各種情報を、静止画データ等のデータの記録可能な数に関する情報として瞬時に把握することができる。
【００９８】
なお、記録媒体情報表示画面３０Ｂにおいて表示するデータを記録可能な数に関する単位として、上記の記録可能な枚数のかわりに、記録可能な回数、記録可能なファイル数等を表示するようにしてもよい。
【００９９】
上述の図５〜図７には、記録媒体挿入部２に複数種類の記録媒体が挿入可能な電子機器１における記録媒体情報表示画面３０，３０Ａ，３０Ｂを示したが、記録媒体挿入部２の差込口には、１種類の記録媒体のみが挿入可能な構成であってもよい。
【０１００】
この場合、記録媒体情報表示画面３０，３０Ａ，３０Ｂにおいて、容量残量情報表示部３２，３２Ａ，３２Ｂ、および合計容量残量情報表示部３３，３３Ａ，３３Ｂが表示されない。さらに、容量残量情報表示部３１，３１Ａ，３１Ｂにおいて、種類表示部３１１を省略してもよい。
【０１０１】
また、上述の図５〜図７には、１つの記録媒体のみが挿入できる記録媒体挿入部２に、複数の記録媒体が選択的に挿入される電子機器１における記録媒体情報表示画面３０，３０Ａ，３０Ｂを示したが、電子機器１が記録媒体挿入部２を複数有し、複数の記録媒体挿入部２のそれぞれに記録媒体が同時に挿入可能な構成であってもよい。この場合、複数の記録媒体挿入部２に挿入されるそれぞれの記録媒体に対し、前述した図２〜図４のフローチャートの処理が実行される。
【０１０２】
図８は、複数の記録媒体が同時に挿入可能な電子機器１における記録媒体情報表示画面の例を示す図である。なお、図８において、図６と重複する部分には同一の符号を付し、重複する説明を省略する。
【０１０３】
図５〜図７に示した記録媒体情報表示画面３０，３０Ａ，３０Ｂは、電子機器１に挿入可能な記録媒体が１つのみの場合の例であるので、挿入されている記録媒体が、そのまま使用中の記録媒体であり、その記録媒体についての各種情報を斜体表示して他の記録媒体と区別した。しかし、電子機器１に複数の記録媒体を同時に挿入可能な場合、非使用中の記憶済み記録媒体も電子機器１に挿入されている場合があるため、挿入されている記録媒体だけでなく、使用中の記録媒体を区別するための表示が必要となる。
【０１０４】
図８に示す記録媒体情報表示画面３０Ｃは、図６に示す記録媒体情報表示画面３０Ａに対し、ＩＤＨ０３のＨＤＤのＩＤ、容量、残量および比率の表示を斜体表示とするとともに、その表示部分を囲む表示枠３４を追加したものである。
【０１０５】
記録媒体情報表示画面３０Ｃは、各種情報が斜体表示されているＩＤＭ０２のメモリカードとＩＤＨ０３のＨＤＤとが、現在記録媒体挿入部２に挿入されており、表示枠３４で囲まれたＩＤＨ０３のＨＤＤが、使用中の記録媒体であることを示す。使用中の記録媒体は、ユーザ操作により選択される。なお、斜体表示された２つの記録媒体のうち、直近に挿入された記録媒体がどちらであるか区別するために、直近に挿入された方の記録媒体の各種情報を、点滅表示する等してもよい。
【０１０６】
また、図８に示す記録媒体情報表示画面３０Ｃは、図６の記録媒体情報表示画面３０Ａと同様に、容量、残量に関する情報の表示単位を時間の単位で表示した例を示しているが、図５、図７の記録媒体情報表示画面３０，３０Ｂと同様の表示単位で表示してもよい。
【０１０７】
以上説明した記録媒体情報表示画面３０，３０Ａ〜３０Ｃにおいて、挿入されている記録媒体の各種情報を、その他の記録媒体の各種情報とを区別するために斜体で表示したが、これに限定されるものではなく、色、模様、光沢、質感などをかえて表示することによって区別してもよい。
【０１０８】
また、図８に示す記録媒体情報表示画面３０Ｃにおいて、使用中の記録媒体の各種情報を表示枠３４で囲むことによりその他の記録媒体の各種情報と区別したが、これに限定されるものではなく、色、模様、光沢、質感などをかえて表示することによって区別してもよい。
【０１０９】
また、各記録媒体の各種情報の表示位置、表示順序、表示形態等は、記録媒体情報表示画面３０，３０Ａ〜３０Ｃの例で示したものに限定されるものではない。
【０１１０】
例えば、記録媒体情報表示画面３０，３０Ａ〜３０Ｃにおいては、容量、残量に関する情報を、容量、残量等を直接的に表す数字および文字を含む数字文字列で表示したが、この数字文字列のかわりに、または数字文字列とともに、容量、残量等を円グラフ等で示す図形を表示してもよい。使用中の記録媒体２１の残量を示す第１の残量情報、使用中の記録媒体２１の容量を示す第１の容量情報、容量残量記憶部４に残量を記憶させた使用中の記録媒体以外の非使用中の記録媒体の残量を示す第２の残量情報、および非使用中の記録媒体の容量を示す第２の容量情報を表示するものであればよい。
【０１１１】
また、図５の容量残量情報表示部３１における容量情報表示部３１４および比率表示部３１５の少なくとも一方を省略してもよい。容量残量情報表示部３２、図６の容量残量情報表示部３１Ａ，３２Ａ、図７の容量残量情報表示部３１Ｂ，３２Ｂについても同様である。
【０１１２】
また、残量のかわりに、容量から残量を差し引いた使用済み量を用いて表示を行うようにしてもよい。この場合、制御部１２は、前述した図２〜図４のフローチャートにおける残量を使用済み量に置き換えた処理を行い、記録媒体挿入部２に挿入された記録媒体２１の使用済み量を容量残量記憶部４にＩＤと対応付けて記憶し、合計残量のかわりに合計記憶済み量を算出し、種類別合計残量のかわりに種類別合計記憶済み量を算出する。そして、制御部１２は、挿入された記録媒体２１の容量および使用済み量、記憶済み記録媒体の容量および使用済み量、種類別合計容量、種類別合計使用済み量、合計容量、合計使用済み量等を画面表示部９に表示させる。
【０１１３】
この場合に表示される画面は、例えば図５の記録媒体情報表示画面３０において、残量情報表示部３１３，３２３における各記録媒体の残量および種類別合計残量にかえて、各記録媒体の使用済み量および種類別合計使用済み量を表示する。また、比率表示部３１５，３２５における各記録媒体の容量に対する残量の比率、および種類別合計容量に対する種類別合計残量の比率にかえて、各記録媒体の容量に対する使用済み量の比率、および種類別合計容量に対する種類別合計使用済み量の比率を表示する。また、合計容量残量情報表示部３３における合計残量、および合計残量の合計容量に対する比率にかえて、合計使用済み量、および合計使用済み量の合計容量に対する比率を表示する。このように、使用中の記録媒体の容量および使用済み量を示す第１の使用量情報と、非使用中の記録媒体の容量および使用済み量を示す第２の使用量情報とを表示する。なお、この場合も、図５、図７の記録媒体情報表示画面３０，３０Ｂと同様の表示単位で表示してもよい。
【０１１４】
次に、メッセージの表示例について説明する。
【０１１５】
図９は、電子機器１に挿入されている記録媒体２１の容量および残量を容量残量記憶部４に記憶するか否かをユーザに選択させるためのメッセージを表示した記録媒体情報表示画面の一例を示す図である。なお、図９において、図６と重複する部分には同一の符号を付し、重複する説明を省略する。
【０１１６】
前述した図３のステップＳ２７０で説明したように、挿入された記録媒体の残量が少ない場合は、この記録媒体の残量を記憶しないという選択肢が必要となる。よって、挿入された記録媒体の残量を容量残量記憶部４に記憶するか否かをユーザに選択させるためのメッセージを画面表示部９に表示する必要がある。
【０１１７】
図９に示す記録媒体情報表示画面３０Ｄは、図６に示した記録媒体情報表示画面３０Ａに対し、記憶するか否かを選択する記録媒体の容量および残量がどの記録媒体のものであるかを明確にするための表示枠４０と、挿入された記録媒体の容量および残量を容量残量記憶部４に記憶するか否かをユーザに選択させるためのメッセージボックス４１とを追加して表示したものである。メッセージボックス４１には、記憶することを指示するための「記憶する」ボタン４２と、記憶しないことを指示するための「記憶しない」ボタン４３とが表示される。
【０１１８】
ユーザは、操作入力部１１の操作により、「記憶する」ボタン４２または「記憶しない」ボタン４３を選択するための選択枠４４を記録媒体情報表示画面３０Ｄ上で所望の位置に移動させ、決定するための操作を行うことにより、選択肢に応じた動作を電子機器１に行わせることができる。
【０１１９】
次に、容量残量記憶部４に記憶されている記録媒体の容量および残量の消去について説明する。
【０１２０】
ユーザは、電子機器１の使用状況に応じて持ち歩く記録媒体を決定するものであり、この場合、持ち歩かない記録媒体の容量および残量を容量残量記憶部４から削除する必要がある。また、残量がすでになくなってしまった記録媒体の容量および残量についても同様である。
【０１２１】
図１０は、容量残量記憶部４に記憶されている記録媒体の容量および残量を消去するためのメッセージを表示した記録媒体情報表示画面の一例を示す図である。なお、図１０において、図６と重複する部分には同一の符号を付し、重複する説明を省略する。
【０１２２】
図１０に示す記録媒体情報表示画面３０Ｅは、図６に示した記録媒体情報表示画面３０Ａに対し、容量および残量を消去する記録媒体を選択するための選択枠４５と、選択された記録媒体の容量および残量を容量残量記憶部４から消去するか否かをユーザに選択させるためのメッセージボックス４６とを追加して表示したものである。メッセージボックス４６には、消去することを指示するための「消去する」ボタン４７と、消去しないことを指示するための「消去しない」ボタン４８とが表示される。
【０１２３】
ユーザは、操作入力部１１の操作により、選択枠４５と、「消去する」ボタン４７または「消去しない」ボタン４８を選択するための選択枠４９とを記録媒体情報表示画面３０Ｅ上で所望の位置に移動させ、決定するための操作を行う。
【０１２４】
ユーザ操作により１つの記録媒体が選択され、「消去する」ボタン４７が選択されると、制御部１２は、選択された記録媒体の容量、残量、ＩＤ、および種類情報を容量残量記憶部４から消去するとともに、選択された記録媒体に対応する各種情報を記録媒体情報表示画面３０Ｅから削除するように画面表示部９を制御する。
【０１２５】
なお、残量のかわりに使用済み量を用いる場合でも上記と同様に消去処理を行うことができる。
【０１２６】
次に、記録媒体におけるＩＤの表示例について説明する。
【０１２７】
上記で説明したように、各記録媒体の容量や残量の表示に対応してそれぞれのＩＤが画面表示部９に表示される。ユーザは表示された記録媒体の容量や残量とＩＤとにより、次に使用する記録媒体を選択することができる。この場合、記録媒体自体にＩＤが視認可能な表示が必要になる。
【０１２８】
図１１は、記録媒体におけるＩＤの表示例を示す図である。図１１に示すように、記録媒体２１の表面には、その記録媒体２１のＩＤを印刷したラベル２７が設けられている。ラベル２７においてＩＤは、画面表示部９に容量や残量と対応付けられて表示されるＩＤと同一の形態で表示される。
【０１２９】
上記説明のように、本実施の形態によれば、電子機器１に挿入して使用した記録媒体の残量を容量残量記憶部４に記憶することで、現在使用中の記録媒体の残量に加えて、使用中でない記録媒体の残量も合算して画面表示部９に表示することができる。これにより、ユーザは、電子機器１で使用したすべての記録媒体の合計残量を容易に把握することができる。
【０１３０】
また、使用した記録媒体の使用済み量を容量残量記憶部４に記憶すれば、現在使用中の記録媒体の使用済み量に加えて、使用中でない記録媒体の使用済み量も合算して画面表示部９に表示することができる。これにより、ユーザは、電子機器１で使用したすべての記録媒体の合計使用済み量を容易に把握することができる。
【０１３１】
なお、本実施の形態では、記録媒体２１が電子機器１の記録媒体挿入部２に物理的に挿入される構成で説明したが、電子機器１は、無線、光通信等の非接触の通信手段を用いて記録媒体２１とのデータの送受信を行う構成としてもよい。
【０１３２】
また、本実施の形態では、電子機器１の記録媒体挿入部２に挿入可能な記録媒体の種類が２種類の例を示したが、３種類以上でもよい。
【符号の説明】
【０１３３】
１  電子機器
２  記録媒体挿入部
３  通信部
４  容量残量記憶部
５  容量残量合算部
６  単位消費容量記憶部
７  表示単位変換部
８  記録媒体判別部
９  画面表示部
１０  メッセージ送出部
１１  操作入力部
１２  制御部
１３  ＲＯＭ
１４  ＲＡＭ
２１  記録媒体
２２  データ記憶部
２３  ＩＤ記憶部
２４  容量残量記憶部
２５  通信部
２６  制御部
３０，３０Ａ〜３０Ｅ  記録媒体情報表示画面
３１，３２，３１Ａ，３１Ｂ，３２Ａ，３２Ｂ  容量残量情報表示部
３３，３３Ａ，３３Ｂ  合計容量残量情報表示部
３１１，３２１  種類表示部
３１２，３２２  ＩＤ表示部
３１３，３２３，３１３Ａ，３２３Ａ，３１３Ｂ，３２３Ｂ  残量情報表示部
３１４，３２４，３１４Ａ，３２４Ａ，３１４Ｂ，３２４Ｂ  容量情報表示部
３１５，３２５  比率表示部
４１，４６  メッセージボックス
【図１】
2010282265.tif 000003
【図２】
2010282265.tif 000004
【図３】
2010282265.tif 000005
【図４】
2010282265.tif 000006
【図５】
2010282265.tif 000007
【図６】
2010282265.tif 000008
【図７】
2010282265.tif 000009
【図８】
2010282265.tif 000010
【図９】
2010282265.tif 000011
【図１０】
2010282265.tif 000012
【図１１】
2010282265.tif 000013